(57)【要約】【課題】スタンバイ時の消費電力を低減すると共に、ユーザの初期設定項目の低減を図る。【解決手段】ＨＤＭＩ端子２０１にＨＤＭＩケーブルを介して接続されるディスクプレーヤが電源オン状態で、テレビ受信機２００がスタンバイ状態にある場合、ディスクプレーヤから＋５Ｖの電源ラインで＋５Ｖの電源が送られてくる。そのため、接続スイッチ２５１が自動的にオン状態となり、当該＋５Ｖの電源がＣＥＣ機能部２０９に供給される。この場合、接続スイッチ２５２は、他の機能部２５３により、オフ状態とされ、ＣＥＣ機能部２０９にスタンバイ電源は供給されない。ディスクプレーヤがスタンバイ状態で、テレビ受信機２００が電源オン状態にある場合、ディスクプレーヤから＋５Ｖの電源は送られてこないが、他の機能部２５３により接続スイッチ２５２がオン状態とされ、ＣＥＣ機能部２０９にスタンバイ電源が供給される。【選択図】図８
2010140291.tif 000002
【特許請求の範囲】
【請求項１】
外部機器からコンテンツデータを受信するデータ受信部と、
上記外部機器との間で制御信号の通信を行う通信部と、
スタンバイ時に、上記外部機器から電源ラインを介して電源が供給されるとき、該電源を上記通信部に供給する電源供給部
を備えるデータ受信装置。
【請求項２】
スタンバイ電源を得る電源回路をさらに備え、
上記電源供給部は、電源オン時に、上記電源回路で得られたスタンバイ電源または上記外部機器から電源ラインを介して供給される電源を上記通信部に供給する
請求項１に記載のデータ受信装置。
【請求項３】
上記データ受信部は、上記外部機器から、複数チャネルで、差動信号により、伝送路を介して、上記コンテンツデータを受信する
請求項１に記載のデータ受信装置。
【請求項４】
上記通信部が通信を行う制御信号は、ＣＥＣ信号である
請求項３に記載のデータ受信装置。
【請求項５】
少なくとも自身の性能に関する情報を保持する情報記憶部をさらに備え、
上記外部機器から電源ラインを介して供給される電源は、上記外部機器が上記情報記憶部に保持されている情報を読み出すための電源である
請求項１に記載のデータ受信装置。
【請求項６】
外部機器からコンテンツデータを受信するデータ受信部と、
上記外部機器との間で制御信号の通信を行う通信部を備えるデータ受信装置における電源制御方法であって、
上記データ受信装置のスタンバイ時に、上記外部機器から電源ラインを介して電源が供給されるとき、該電源を上記通信部に供給する
電源制御方法。
【発明の詳細な説明】
【技術分野】
【０００１】
この発明は、データ受信装置および電源制御方法に関し、特に、外部機器との間で制御信号の通信を行う通信部を備えるデータ受信装置等に関する。
【背景技術】
【０００２】
近年、例えば、ＤＶＤ（Digital Versatile Disc）プレーヤ、セットトップボックス（STB:Set Top Box）、その他のＡＶソース（Audio Visual source）から、テレビ受信機、プロジェクタ、その他のディスプレイに対して、非圧縮（ベースバンド）のデジタル映像信号（画像データ）と、そのデジタル映像信号に付随するデジタル音声信号（音声データ）とを高速に伝送する通信インタフェースとして、ＨＤＭＩ(High Definition Multimedia Interface)が、普及しつつある。
【０００３】
ＨＤＭＩは、ＰＣ（Personal Computer）とディスプレイの接続標準規格であるＤＶＩ（DigitalVisual Interface）に音声伝送機能や著作権保護機能を加えて、ＡＶ（Audio Visual）機器向けにアレンジしたものとなっている。例えば、非特許文献１には、ＨＤＭＩ規格の詳細についての記載がある。
【０００４】
従来、機器間の接続にビデオ、オーディオ、コントロールの各信号用の複数のケーブルを用いていた。しかし、ＨＤＭＩではケーブル１本で済み、コントロール信号は双方向の伝送に対応している。そのため、例えば、テレビ受信機からＨＤＭＩで接続されたＤＶＤプレーヤ、セットトップボックス等の出力装置にコントロール信号を中継することで、テレビ受信機のリモコンでＡＶシステム全体を操作することも可能となった。
【０００５】
ＨＤＭＩ規格ではＣＥＣ（Consumer Electronics Control）を使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビ受信機でデジタル放送を視聴しているときに、ＨＤＭＩで接続されたＤＶＤプレーヤを再生すると、テレビ受信機は自動的にＤＶＤプレーヤが接続された入力に切り換える。また、このＤＶＤプレーヤで表示しているメニュー操作や、電源のオン／オフなどをテレビ受信機のリモコンから操作することができる。
【０００６】
ＨＤＭＩ接続されたソース機器およびシンク機器は、それぞれの機器がスタンバイ状態でもＣＥＣ機能のための回路（ＣＥＣ機能部）をアクティブにしておく必要がある。しかし、シンク機器では、スタンバイ状態での待機電力の削減が急務となっている。そのため、工場出荷設定ではＣＥＣ機能をオフ設定にして待機電力を必要以上に消費しないようにしている。
【０００７】
このように工場出荷設定でシンク機器のＣＥＣ機能がオフに設定されている場合、ユーザがＣＥＣ対応のソース機器を接続する際に、当該シンク機器のオフ設定をマニュアルで変更する必要があった。つまり、ユーザの初期設定項目がその分だけ多くなり、ユーザにとって煩わしいものとなる。
【０００８】
例えば、特許文献１は、ＨＤＭＩ接続されたソース機器の電源制御による消費電力の低減を提案するものであるが、シンク機器の消費電力の低減のための電源制御については何ら提案されていない。
【非特許文献１】High-Definition Multimedia Interface Specification Version1.3a,November 10 2006
【特許文献１】特開２００７−２７４２９６号公報
【発明の開示】
【発明が解決しようとする課題】
【０００９】
上述したように、ＨＤＭＩ接続されたソース機器およびシンク機器のうち、シンク機器に関して、その消費電力を低減するための電源制御については何ら提案されていない。
【００１０】
この発明の目的は、シンク機器のスタンバイ時（スタンバイ状態）における消費電力を低減すると共に、このシンク機器に係るユーザの初期設定項目の低減を図ることにある。
【課題を解決するための手段】
【００１１】
この発明の概念は、
外部機器からコンテンツデータを受信するデータ受信部と、
上記外部機器との間で制御信号の通信を行う通信部と、
スタンバイ時に、上記外部機器から電源ラインを介して電源が供給されるとき、該電源を上記通信部に供給する電源供給部
を備えるデータ受信装置にある。
【００１２】
この発明において、データ受信部により、外部機器からコンテンツデータ（画像データ、音声データ）が受信される。この場合、例えば、外部機器から複数チャネルで、差動信号により、伝送路、例えばＨＤＭＩのＴＭＤＳチャネルを介して、コンテンツデータが受信される。また、通信部により、外部機器との間で制御信号の通信が行われる。この制御信号は、例えば、ＨＤＭＩケーブルのＣＥＣラインを介して送受信される、ＣＥＣ信号である。
【００１３】
スタンバイ時に、外部機器から電源ラインを介して電源が供給されるとき、この電源は電源供給部により通信部に供給される。そのため、通信部はアクティブな状態となり、外部機器との間で制御信号の通信が可能となる。外部機器から供給される電源は、例えば、外部機器が情報記憶部に保持されている、少なくとも自身の性能に関する情報を読み出すための電源である。
【００１４】
このように、スタンバイ時に外部機器から電源が供給されるとき、この電源が通信部に供給されて外部機器との間で制御信号の通信が可能とされることで、外部機器との間の制御信号の通信のためにスタンバイ時に通信部に常に電源を供給しておく必要がなく、消費電力を低減できる。また、消費電力の低減のために、例えば工場出荷設定でＣＥＣ機能をオフ設定しておく必要もなく、ユーザはその設定を解除することが不要となり、ユーザの初期設定項目を低減できる。
【００１５】
この発明において、例えば、スタンバイマイコンに供給するスタンバイ電源を得る電源回路をさらに備え、電源供給部は、電源オン時に、電源回路で得られたスタンバイ電源または外部機器から電源ラインを介して供給される電源を通信部に供給する、ようにされる。これにより、電源オン時には、通信部に電源が供給されるので、通信部は外部機器との間で制御信号の通信が可能となる。この場合、通信部に予め電源を供給しておく必要がなく、消費電力を低減できる。
【発明の効果】
【００１６】
この発明によれば、データ受信部により外部機器からコンテンツデータを受信し、通信部により外部機器との間で制御信号の通信を行うものにあって、スタンバイ時に、外部機器から電源ラインを介して電源が供給されるとき、この電源を通信部に供給するものであり、スタンバイ時の消費電力を低減できると共に、またユーザの初期設定項目の低減を図ることができる。
【発明を実施するための最良の形態】
【００１７】
以下、発明を実施するための最良の形態（以下、「実施の形態」とする）について説明する。なお、説明は以下の順序で行う。
１．実施の形態
２．変形例
【００１８】
＜１．実施の形態＞
［ＡＶシステムの構成例］
図１は、実施の形態としてのＡＶ（Audio Visual）システム１０の構成例を示している。このＡＶシステム１０は、ソース機器としてのディスクプレーヤ１００と、シンク機器としてのテレビ受信機２００とを有している。ディスクプレーヤ１００およびテレビ受信機２００は、ＨＤＭＩケーブル３００を介して接続されている。ディスクプレーヤ１００には、ＨＤＭＩ送信部（ＨＤＭＩＴＸ）１０２が接続されたＨＤＭＩ端子１０１が設けられている。テレビ受信機２００には、ＨＤＭＩ受信部（ＨＤＭＩ ＲＸ）２０２が接続されたＨＤＭＩ端子２０１が設けられている。ＨＤＭＩケーブル３００の一端はディスクプレーヤ１００のＨＤＭＩ端子１０１に接続され、このＨＤＭＩケーブ３００の他端はテレビ受信機２００のＨＤＭＩ端子２０１に接続されている。
【００１９】
［ＨＤＭＩシステムの説明］
図２は、図１のＡＶシステム１０におけるディスクプレーヤ１００およびテレビ受信機２００のＨＤＭＩ接続部分を示している。
【００２０】
ＨＤＭＩ送信部１０２は、アクティブビデオ区間において、非圧縮の１画面分の画像の画素データに対応する差動信号を、複数のチャネルで、ＨＤＭＩ受信部２０２に送信する。ここで、アクティブビデオ区間は、一の垂直同期信号から次の垂直同期信号までの区間から水平帰線区間および垂直帰線区間を除いた区間である有効画像区間である。ＨＤＭＩ送信部１０２は、水平帰線区間または垂直帰線区間において、少なくとも画像に付随する音声データや制御データ、その他の補助データ等に対応する差動信号を、複数のチャネルで、ＨＤＭＩ受信部２０２に一方向に送信する。
【００２１】
ＨＤＭＩ送信部１０２は、例えば、非圧縮の画像の画素データを対応する差動信号に変換し、ＴＭＤＳチャネル＃０，＃１，＃２で、ＨＤＭＩ受信部２０２に、一方向にシリアル伝送する。また、ＨＤＭＩ送信部１０２は、非圧縮の画像に付随する音声データ、制御データその他の補助データ等を対応する差動信号に変換し、ＴＭＤＳチャネル＃０，＃１，＃２で、ＨＤＭＩ受信部２０２に、一方向にシリアル伝送する。
【００２２】
さらに、ＨＤＭＩ送信部１０２は、ＴＭＤＳチャネル＃０，＃１，＃２で送信する画素データに同期したピクセルクロックを、ＴＭＤＳクロックチャネルで、ＨＤＭＩケーブル３００でＨＤＭＩ受信部２０２に送信する。ここで、１つのＴＭＤＳチャネル＃ｉ（ｉ=０，１，２）では、ピクセルクロックの１クロックの間に、１０ビットの画素データが送信される。
【００２３】
ＨＤＭＩ受信部２０２は、アクティブビデオ区間において、複数のチャネルで、ＨＤＭＩ送信部１０２から一方向に送信されてくる、画素データに対応する差動信号を受信する。また、このＨＤＭＩ受信部２０２は、水平帰線区間または垂直帰線区間において、複数のチャネルで、ＨＤＭＩ送信部１０２から一方向に送信されてくる、音声データや制御データに対応する差動信号を受信する。すなわち、ＨＤＭＩ受信部２０２は、ＴＭＤＳチャネル＃０，＃１，＃２でＨＤＭＩ送信部１０２から一方向に送信されてくる、画素データに対応する差動信号と、音声データや制御データに対応する差動信号を、ピクセルクロックに同期して受信する。
【００２４】
ＨＤＭＩシステムの伝送チャネルには、上述のＴＭＤＳチャネル＃０〜＃２およびＴＭＤＳクロックチャネルの他に、ＤＤＣ（Display Data Channel）８３およびＣＥＣライン８４と呼ばれる伝送チャネルがある。ＤＤＣ８３は、ＨＤＭＩケーブル３００に含まれる図示しない２本の信号線からなっている。このＤＤＣ８３は、ディスクプレーヤ１００（ソース機器）が、テレビ受信機２００（シンク機器）から、ＥＤＩＤ（Enhanced Extended Display Identification Data）を読み出すために使用される。
【００２５】
すなわち、テレビ受信機２００は、ＨＤＭＩ受信部１０２の他に、少なくとも自身の性能（Configuration/capability）に関する情報であるＥＤＩＤを記憶している、情報記憶部としてのＥＤＩＤ ＲＯＭ(Read Only Memory)８５を有している。ディスクプレーヤ１００の制御部（図示せず）は、テレビ受信機２００のＥＤＩＤＲＯＭ８５から、ＤＤＣ８３を介してＥＤＩＤを読み出す。ディスクプレーヤ１００の制御部は、ＥＤＩＤに基づき、テレビ受信機２００の性能、例えばテレビ受信機２００が対応可能なビデオフォーマット、カラーフォーマット等を認識できる。
【００２６】
ＣＥＣライン８４は、ＨＤＭＩケーブル３００に含まれる図示しない１本の信号線からなり、制御データラインを構成している。このＣＥＣライン８４は、ディスクプレーヤ１００（ソース機器）とテレビ受信機２００（シンク機器）との間で、ＣＥＣ信号（制御用データ）の双方向通信を行うために用いられる。
【００２７】
また、ＨＤＭＩケーブル３００には、ＨＰＤ(Hot Plug Detect)と呼ばれるピンに接続されるＨＰＤライン８６が含まれている。ディスクプレーヤ１００（ソース機器）は、ＨＰＤライン８６を利用して、テレビ受信機２００（シンク機器）の接続を検出することができる。また、ＨＤＭＩケーブル３００には、ディスクプレーヤ１００（ソース機器）からテレビ受信機２００（シンク機器）に＋５Ｖの電源を供給するために用いられる電源ライン８７およびリザーブライン８８が含まれている。
【００２８】
上述した電源ライン８７を介しての＋５Ｖの電源は、本来、ディスクプレーヤ１００（ソース機器）が、テレビ受信機（シンク機器）２００の上述のＥＤＩＤＲＯＭ８５からＥＤＩＤを読み出すために使用されるものである。この実施の形態においては、この＋５Ｖの電源は、さらに、上述のＣＥＣ制御信号を通信する通信部（ＣＥＣ機能部）にも供給される。これにより、テレビ受信機（シンク機器）２００のスタンバイ時に、ＣＥＣ機能部をアクティブにできる。
【００２９】
図３は、ディスクプレーヤ１００のＨＤＭＩ送信部１０２と、テレビ受信機２００のＨＤＭＩ受信部２０２の構成例を示している。
【００３０】
ＨＤＭＩ送信部１０２は、３つのＴＭＤＳチャネル＃０，＃１，＃２にそれぞれ対応する３つのエンコーダ／シリアライザ８１Ａ，８１Ｂ，８１Ｃを有する。エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分はエンコーダ／シリアライザ８１Ａに供給され、Ｇ成分はエンコーダ／シリアライザ８１Ｂに供給され、Ｒ成分はエンコーダ／シリアライザ８１Ｃに供給される。
【００３１】
補助データとしては、例えば、音声データ、制御パケット等がある。制御パケットは、例えば、エンコーダ／シリアライザ８１Ａに供給され、音声データは、例えば、エンコーダ／シリアライザ８１Ｂ，８１Ｃに供給される。制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００３２】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００３３】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００３４】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００３５】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００３６】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００３７】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００３８】
ＨＤＭＩ受信部２０２は、３つのＴＭＤＳチャネル＃０，＃１，＃２にそれぞれ対応する３つのリカバリ／デコーダ８２Ａ，８２Ｂ，８２Ｃを有する。リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、デコードして出力する。
【００３９】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００４０】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。リカバリ／デコーダ８２Ｂは、その画像データのＧ成分、制御ビットＣＴＬ０，ＣＴＬ１、補助データを、シリアルデータからパラレルデータに変換し、デコードして出力する。
【００４１】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。リカバリ／デコーダ８２Ｃは、その画像データのＲ成分、制御ビットＣＴＬ２，ＣＴＬ３、補助データを、シリアルデータからパラレルデータに変換し、デコードして出力する。
【００４２】
図４は、ＴＭＤＳ伝送データの構造例を示している。図４は、ＴＭＤＳチャネル＃０，＃１，＃２において、横×縦が１９２０ピクセル×１０８０ラインの画像データが伝送される場合の、各種の伝送データの区間を示している。ＨＤＭＩの３つのＴＭＤＳチャネル＃０，＃１，＃２で伝送データが伝送されるビデオフィールド（Video Field）には、伝送データの種類に応じて３種類の区間が存在する。この３種類の区間は、ビデオデータ区間（Video Data period）、データアイランド区間（Data Islandperiod）、およびコントロール区間（Control period）である。
【００４３】
ビデオフィールド区間は、ある垂直同期信号の立ち上がりエッジ（active edge）から次の垂直同期信号の立ち上がりエッジまでの区間である。この区間は、水平ブランキング期間（horizontal blanking）、垂直ブランキング期間（verticalblanking）、並びに、ビデオフィールド区間から、水平、垂直のブランキング期間を除いた区間であるアクティブビデオ区間（Active Video）に分けられる。
【００４４】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【００４５】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００４６】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００４７】
図５は、ＨＤＭＩ端子１０１，２０１のピン配列の一例を示している。図５に示すピン配列はタイプＡ（type-A）と呼ばれている。ＴＭＤＳチャネル＃ｉの差動信号であるTMDSData#i+とTMDS Data#i-が伝送される２本のラインは、TMDS Data#i+が割り当てられているピン（ピン番号が1,4,7のピン）と、TMDS Data#i-が割り当てられているピン（ピン番号が3,6,9のピン）に接続される。
【００４８】
また、制御用のデータであるＣＥＣ信号が伝送されるＣＥＣライン８４は、ピン番号が１３であるピンに接続され、ピン番号が１４のピンは空き（Reserved）ピンとなっている。また、ＥＤＩＤ等のＳＤＡ(Serial Data)信号が伝送されるラインは、ピン番号が１６であるピンに接続される。また、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００４９】
また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【００５０】
［ディスクプレーヤ、テレビ受信機の要部構成］
図６は、ディスクプレーヤ１００の要部構成例を示している。このディスクプレーヤ１００は、ＨＤＭＩ端子１０１と、ＨＤＭＩ送信部１０２と、メインマイコン１０３と、スタンバイマイコン１０４と、キー入力部１０５と、リモコン受信部１０６を有している。また、ディスクプレーヤ１００は、メイン電源回路１０７と、スタンバイ電源回路１０８と、ＣＥＣ機能部１０９と、ＨＰＤ回路１１０と、プルダウン抵抗１１１を有している。
【００５１】
ＨＤＭＩ送信部１０２は、ＨＤＭＩに準拠した通信により、図示しないディスク再生部で得られたベースバンドの画像データＶＤおよび音声データＡＤ、並びにメインマイコン１０３から供給される制御データＣＤを、ＨＤＭＩケーブル３００のＴＭＤＳチャネルを介して、テレビ受信機２００に一方向に送信する。
【００５２】
メインマイコン１０３は、ディスクプレーヤ１００の各部の動作を制御する。スタンバイマイコン１０４は、ユーザの操作によるリモコンコードをリモコン受信部１０６で受信して処理し、また、キー入力部１０５の操作による動作処理を行う。スタンバイマイコン１０４は、ディスクプレーヤ１００がスタンバイ時、電源オンのリモコン信号を受信した場合や、キー操作により電源オンの操作が行われた場合、メイン電源回路１０７を制御して、メイン電源をオンにする。
【００５３】
スタンバイマイコン１０４には、ＣＥＣ機能部１０９が内蔵されている。このＣＥＣ機能部１０９は、ＣＥＣラインを介して、テレビ受信機２００との間で、ＣＥＣ信号の送受信を行う。メインマイコン１０３は、このスタンバイマイコン１０４に接続されたＤＤＣラインを介して、テレビ受信機２００のＥＤＩＤＲＯＭからＥＤＩＤデータを読み取る。
【００５４】
メイン電源回路１０７は、ディスクプレーヤ１００の内部回路に電源を供給すると共に、＋５Ｖの電源ラインを介して、テレビ受信機２００に＋５Ｖの電源を供給する。また、スタンバイ電源回路１０８は、スタイバイ時にも制御動作が可能なように、スタンバイマイコン１０４にスタンバイ電源を供給する。メイン電源回路１０７およびスタンバイ電源回路１０８は、いずれも、ＡＣ入力から電源を生成する。
【００５５】
ＨＰＤ回路１１０は、ＨＰＤラインの電圧に基づいて、ディスクプレーヤ１００にＨＤＭＩケーブル３００を介してシンク機器（この実施の形態ではテレビ受信機２００）が接続されたこと等を検出する。このＨＰＤ回路１１０の検出出力はメインマイコン１０３に供給される。なお、ディスクプレーヤ１００のＨＰＤ端子は、プルダウン抵抗１１１を介して接地されている。
【００５６】
図７は、テレビ受信機２００の要部構成例を示している。このテレビ受信機２００は、ＨＤＭＩ端子２０１と、ＨＤＭＩ受信部２０２と、メインマイコン２０３と、スタンバイマイコン２０４と、キー入力部２０５と、リモコン受信部２０６を有している。また、テレビ受信機２００は、メイン電源回路２０７と、スタンバイ電源回路２０８と、ＣＥＣ機能部２０９と、ＥＤＩＤＲＯＭ２１０と、ＨＰＤ回路２１１と、プルアップ抵抗２１２を有している。
【００５７】
ＨＤＭＩ受信部２０２は、ＨＤＭＩに準拠した通信により、ディスクプレーヤ１００から、ＨＤＭＩケーブル３００のＴＭＤＳチャネルを介して一方向に送信されてくる画像データＶＤおよび音声データＡＤ、並びに制御データＣＤを受信する。制御データＣＤは、ＨＤＭＩ受信部２０２からメインマイコン２０３に供給される。画像データＶＤは、図示していないが、表示処理部を介して表示パネルに供給される。さらに、音声データＡＤは、図示していないが、Ｄ／Ａ変換器でアナログ信号に変換された後にスピーカに供給される。
【００５８】
メインマイコン２０３は、テレビ受信機２００の各部の動作を制御する。スタンバイマイコン２０４は、ユーザの操作によるリモコンコードをリモコン受信部２０６で受信して処理し、また、キー入力部２０５の操作による動作処理を行う。スタンバイマイコン２０４は、テレビ受信機２００がスタンバイ時、電源オンのリモコン信号を受信した場合や、キー操作により電源オンの操作が行われた場合、メイン電源回路２０７を制御して、メイン電源をオンにする。
【００５９】
スタンバイマイコン２０４には、ＣＥＣ機能部２０９が内蔵されている。このＣＥＣ機能部２０９は、ＣＥＣラインを介して、ディスクプレーヤ１００との間で、ＣＥＣ信号の送受信を行う。スタンバイマイコン２０４は、ＣＥＣ機能部２０９で電源制御に関するコマンドを受信した場合も、メイン電源回路２０７を制御して、メイン電源をオンにする。
【００６０】
このＣＥＣ機能部２０９には、テレビ受信機２００がスタンバイ状態にあり、かつディスクプレーヤ１００が電源オン状態にあるときは、ディスクプレーヤ１００から＋５Ｖの電源ラインで送られてくる＋５Ｖの電源が供給される。また、このＣＥＣ機能部２０９には、テレビ受信機２００が電源オンの状態にあり、かつディスクプレーヤ１００がスタンバイ状態にあるときは、スタンバイ電源回路２０８で得られるスタンバイ電源が供給される。このＣＥＣ機能部２０９への電源供給の詳細については後述する。
【００６１】
メイン電源回路２０７は、テレビ受信機２００の内部回路に電源を供給する。スタンバイ電源回路２０８は、スタイバイ時にも制御動作が可能なように、スタンバイマイコン２０４にスタンバイ電源を供給する。メイン電源回路２０７およびスタンバイ電源回路２０８は、いずれも、ＡＣ入力から電源を生成する。
【００６２】
ＥＤＩＤ ＲＯＭ２１０には、＋５Ｖの電源ラインが接続されている。このＥＤＩＤＲＯＭ２１０には、ディスクプレーヤ１００が電源オン状態にあるとき、ディスクプレーヤ１００から＋５Ｖの電源ラインを介して、＋５Ｖの電源が供給される。この＋５Ｖの電源は、ディスクプレーヤ１００が、ＥＤＩＤＲＯＭ２１０からＥＤＩＤを読み出すために使用される。
【００６３】
ＨＰＤ回路２１１は、ＨＰＤラインの電圧に基づいて、テレビ受信機２００にＨＤＭＩケーブル３００を介してソース機器（この実施の形態ではディスクプレーヤ１００）が接続されたことを検出する。このＨＰＤ回路２１１の検出出力はメインマイコン２０３に供給される。なお、＋５Ｖの電源ラインとＨＰＤラインの間に、規格で規定されている１ｋΩの抵抗２１２が接続されている。
【００６４】
ディスクプレーヤ１００とテレビ受信機２００がＨＤＭＩケーブル３００で接続された場合、ディスクプレーヤ１００から電源ラインで送られてくる＋５Ｖの電源により、テレビ受信機２００のＨＤＭＩ端子２０１の１９ピン（ＨＰＤ端子）の電圧が高くなる。そのため、テレビ受信機２００のＨＰＤ回路２１１は、テレビ受信機２００にＨＤＭＩケーブル３００を介してソース機器（ディスクプレーヤ１００）が接続されたことを検出できる。
【００６５】
また、このとき、ディスクプレーヤ１００のＨＤＭＩ端子１０１の１９ピン（ＨＰＤ端子）の電圧も高くなる。そのため、ディスクプレーヤ１００のＨＰＤ回路１１０は、ディスクプレーヤ１００にＨＤＭＩケーブル３００を介してシンク機器（テレビ受信機２００）が接続されたことを検出できる。
【００６６】
この状態で、例えば、ＨＤＭＩケーブル３００がテレビ受信機２００から外された場合、テレビ受信機２００のＨＤＭＩ端子２０１の１９ピン（ＨＰＤ端子）およびディスクプレーヤ１００のＨＤＭＩ端子１０１の１９ピン（ＨＰＤ端子）の電圧は共に低くなる。そのため、テレビ受信機２００のＨＰＤ回路２１１およびディスクプレーヤ１００のＨＰＤ回路１１０は、ＨＤＭＩケーブル３００の接続が外されたことを検出できる。
【００６７】
図１、図６、図７に示すＡＶシステム１０の動作を説明する。まず、ディスクプレーヤ１００にＨＤＭＩケーブル３００を介してテレビ受信機２００が接続されるシステム構成時の動作例を説明する。なお、ディスクプレーヤ１００は電源オン状態にあるものとする。
【００６８】
ＨＤＭＩケーブル３００の＋５Ｖの電源ラインを通じて、ディスクプレーヤ１００からテレビ受信機２００に＋５Ｖの電源が供給される。そのため、テレビ受信機２００のＨＤＭＩ端子２０１における１９ピンの電圧が高くなり、ディスクプレーヤ１００のＨＤＭＩ端子１０１における１９ピンの電圧も高くなる。
【００６９】
ディスクプレーヤ１００のメインマイコン１０３（ＨＰＤ回路１１０）は、ＨＤＭＩ端子１０１における１９ピンの電圧（ＨＰＤラインの電圧）を監視している。メインマイコン１０３は、この電圧が高くなることで、ディスクプレーヤ１００にＨＤＭＩケーブル３００を介してテレビ受信機２００が接続されたことを認識する。そして、メインマイコン１０３は、ＨＤＭＩケーブル３００のＤＤＣラインを用いて、テレビ受信機２００のＥＤＩＤＲＯＭ２１０に記憶されているＥＤＩＤを読み出し、テレビ受信機２００の性能を認識する。
【００７０】
次に、システム構成後の動作例を説明する。例えば、ユーザがディスクプレーヤ１００の再生を操作すると、ディスクプレーヤ１００では再生が開始される。図示しないディスク再生部で得られた非圧縮の画像データＶＤおよび音声データＡＤはＨＤＭＩ送信部１０２に供給される。ＨＤＭＩ送信部１０２では、ＨＤＭＩに準拠した通信により、データＶＤ，ＡＤが、ＨＤＭＩケーブル３００を介して、テレビ受信機２００に、一方向に、送信される。
【００７１】
テレビ受信機２００では、ＨＤＭＩ受信部２０２で、ＨＤＭＩに準拠した通信により、ディスクプレーヤ１００のＨＤＭＩ送信部１０２からＨＤＭＩケーブル３００を介して一方向に送信されてくる非圧縮の画像データＶＤおよび音声データＡＤが受信される。ＨＤＭＩ受信部２０２で受信された画像データＶＤは、図示しない表示処理部を介して表示パネルに供給され、再生画像が表示される。また、ＨＤＭＩ受信部２０２で受信された音声データは、図示しないＤ／Ａ変換器を介してスピーカに供給され、再生音声が出力される。
【００７２】
［ＣＥＣ機能部への電源供給］
テレビ受信機２００のスタンバイマイコン２０４に内蔵されているＣＥＣ機能部２０９への電源供給について説明する。
【００７３】
表１は、ソース機器、シンク機器の状態と、シンク機器におけるＣＥＣ機能（アクティブ、非アクティブ）の関係を示している。
【００７４】
【表１】
2010140291.tif 000003
【００７５】
ソース機器とシンク機器が双方ともスタンバイ状態にある場合、ソース機器とシンク機器との間でＣＥＣ信号の通信は不要であり、シンク機器におけるＣＥＣ機能は非アクティブでよい。また、シンク機器が電源オン状態にある場合、ソース機器の物理アドレス、論理アドレスを確かめるため、シンク機器は、コマンドやポーリングコマンドをソース機器へ送る必要がある。そのため、この場合、ソース機器がスタンバイ状態あるいは電源オン状態のいずれにあっても、シンク機器におけるＣＥＣ機能をアクティブとしておくことが必要となる。また、ソース機器が電源オン状態で、シンク機器がスタンバイ状態にある場合、シンク機器は、ソース機器から送られてくるＣＥＣ制御コマンドを常に受信する必要がある。そのため、この場合、シンク機器におけるＣＥＣ機能をアクティブにしておくことが必要となる。
【００７６】
そこで、この実施の形態において、テレビ受信機２００のスタンバイマイコン２０４に内蔵されているＣＥＣ機能部２０９への電源供給は、表２に示すように、行われる。
【００７７】
【表２】
2010140291.tif 000004
【００７８】
ディスクプレーヤ１００（ソース機器）およびテレビ受信機２００（シンク機器）が双方ともスタンバイ状態にある場合、上述したようにＣＥＣ機能は非アクティブでよい。そのため、この場合は、ＣＥＣ機能部２０９に電源を供給しない。また、ディスクプレーヤ１００がスタンバイ状態で、テレビ受信機２００が電源オン状態にある場合、上述したようにＣＥＣ機能をアクティブにしておくことが必要である。そのため、この場合は、テレビ受信機２００内の電源、例えばスタンバイ電源が、ＣＥＣ機能部２０９に供給される。
【００７９】
また、ディスクプレーヤ１００が電源オン状態で、テレビ受信機２００がスタンバイ状態にある場合、上述したようにＣＥＣ機能をアクティブにしておくことが必要である。そのため、この場合は、ディスクプレーヤ１００から＋５Ｖの電源ラインで送られてくる＋５Ｖの電源が、ＣＥＣ機能部２０９に供給される。さらに、ディスクプレーヤ１００およびテレビ受信機２００の双方が電源オン状態にある場合、上述したようにＣＥＣ機能をアクティブにしておくことが必要である。そのため、この場合は、少なくとも、テレビ受信機２００内の電源、あるいはディスクプレーヤ１００から＋５Ｖの電源ラインで送られてくる＋５Ｖの電源が、ＣＥＣ機能部２０９に供給される。
【００８０】
ＣＥＣ機能部２０９に電源を供給する電源供給部２５０の構成を説明する。図８は、スタンバイマイコン２０４内における電源供給部２５０の構成例を示している。
【００８１】
＋５Ｖの電源ラインは接続スイッチ２５１を介してＣＥＣ機能部２０９に接続されている。接続スイッチ２５１には、＋５Ｖの電源ラインの電圧が、オンオフの制御信号として供給される。この場合、接続スイッチ２５１は、＋５Ｖの電源ラインの電圧が＋５Ｖとなるときオン状態とされ、その他のときはオフ状態とされる。
【００８２】
また、スタンバイ電源回路２０８(図７参照)からのスタンバイ電源は接続スイッチ２５２を介してＣＥＣ機能部２０９に供給される。この接続スイッチ２５２のオンオフは、スタンバイマイコン２０４内の他の機能部２５３により制御される。
【００８３】
図９のフローチャートは、他の機能部２５３の制御処理を示している。他の機能部２５３は、ステップＳＴ１において、処理を開始し、その後に、ステップＳＴ２の処理に移る。このステップＳＴ２において、他の機能部２５３は、テレビ受信機２００が電源オンの状態にあるか否かを判定する。
【００８４】
ステップＳＴ２で電源オン状態にないとき、他の機能部２５３は、ステップＳＴ３において、接続スイッチ２５２をオフ状態とし、スタンバイ電源がＣＥＣ機能部２０９に供給されないようにする。他の機能部２５３は、ステップＳＴ３の処理の後、ステップＳＴ４において、処理を終了する。
【００８５】
また、ステップＳＴ２で電源オン状態にあるとき、他の機能部２５３は、ステップＳＴ５において、接続スイッチ２５２をオン状態とし、スタンバイ電源がＣＥＣ機能部２０９に供給されるようにする。他の機能部２５３は、ステップＳＴ５の処理の後、ステップＳＴ４において、処理を終了する。
【００８６】
電源供給部２５０の動作を説明する。ディスクプレーヤ１００（ソース機器）およびテレビ受信機２００（シンク機器）が双方ともスタンバイ状態にある場合は、以下のようになる。この場合、ディスクプレーヤ１００から＋５Ｖの電源ラインで＋５Ｖの電源が送られてこない。また、接続スイッチ２５２は、他の機能部２５３により、オフ状態とされる。したがって、ＣＥＣ機能部２０９には電源は供給されない。
【００８７】
また、ディスクプレーヤ１００が電源オン状態で、テレビ受信機２００がスタンバイ状態にある場合、以下のようになる。この場合、ディスクプレーヤ１００から＋５Ｖの電源ラインで＋５Ｖの電源が送られてくる。そのため、＋５Ｖの電源ラインの電圧が＋５Ｖとなり、接続スイッチ２５１はオン状態となり、当該＋５Ｖの電源がＣＥＣ機能部２０９に供給される。なお、この場合、接続スイッチ２５２は、他の機能部２５３により、オフ状態とされるため、ＣＥＣ機能部２０９にスタンバイ電源は供給されない。
【００８８】
また、ディスクプレーヤ１００がスタンバイ状態で、テレビ受信機２００が電源オン状態にある場合、以下のようになる。この場合、ディスクプレーヤ１００から＋５Ｖの電源ラインで＋５Ｖの電源が送られてこない。しかし、この場合、他の機能部２５３により接続スイッチ２５２がオン状態とされるため、ＣＥＣ機能部２０９にスタンバイ電源が供給される。
【００８９】
また、ディスクプレーヤ１００およびテレビ受信機２００の双方が電源オン状態にある場合、以下のようになる。この場合、ディスクプレーヤ１００から＋５Ｖの電源ラインで＋５Ｖの電源が送られてくる。そのため、＋５Ｖの電源ラインの電圧が＋５Ｖとなり、接続スイッチ２５１はオン状態となり、当該＋５Ｖの電源がＣＥＣ機能部２０９に供給される。また、この場合、他の機能部２５３により接続スイッチ２５２がオン状態とされるため、ＣＥＣ機能部２０９にスタンバイ電源が供給される。
【００９０】
このように、図８に示す電源供給部２５０においては、ディスクプレーヤ１００およびテレビ受信機２００の双方が電源オン状態にある場合、ＣＥＣ機能部２０９には、ディスクプレーヤ１００からの＋５Ｖの電源とスタンバイ電源の双方が供給される。しかし、この場合、ＣＥＣ機能部２０９に、ディスクプレーヤ１００からの＋５Ｖの電源あるいはスタンバイ電源が供給されるように構成してもよい。
【００９１】
例えば、他の機能部２５３が、＋５Ｖの電源ラインの電圧を監視し、この＋５Ｖの電源ラインの電圧が＋５Ｖにあるときは、テレビ受信機２００が電源オン状態にあっても接続スイッチ２５２をオフ状態に制御する、ように構成される。この場合には、ディスクプレーヤ１００およびテレビ受信機２００の双方が電源オン状態にある場合、ＣＥＣ機能部２０９にはディスクプレーヤ１００からの＋５Ｖの電源のみが供給される。
【００９２】
上述したように、図１に示すＡＶシステム１０のテレビ受信機２００においては、スタンバイ状態にあっても、ディスクプレーヤ１００が電源オン状態になる場合、このディスクプレーヤ１００から送られてくる＋５Ｖの電源がＣＥＣ機能部２０９に供給される。これにより、テレビ受信機２００がスタンバイ状態にあっても、ＣＥＣ機能部２０９はディスクプレーヤ１００との間でＣＥＣ信号の通信が可能となる。
【００９３】
このように、テレビ受信機２００においては、スタンバイ状態にあるとき、ＣＥＣ機能部２０９に常に電源を供給しておくものではなく、消費電力を低減できる。また、このテレビ受信機２００においては、スタンバイ状態にあるときＣＥＣ機能部２０９に常に電源を供給しておくものではないことから、消費電力の低減のために、例えば工場出荷設定でＣＥＣ機能をオフ設定しておく必要もない。そのため、ユーザはその設定を解除することが不要となり、ユーザの初期設定項目を低減できる。
【００９４】
また、図１に示すＡＶシステム１０のテレビ受信機２００においては、電源オン状態となるとき、スタンバイ電源がＣＥＣ機能部２０９に供給される。これにより、ＣＥＣ機能部２０９はディスクプレーヤ１００との間でＣＥＣ信号の通信が可能となる。このように、テレビ受信機２００においては、電源オン状態となるときスタンバイ電源をＣＥＣ機能部２０９に供給するものであり、ＣＥＣ機能部２０９に常に電源を供給しておくものではなく、消費電力を低減できる。
【００９５】
＜２．変形例＞
上述実施の形態においては、テレビ受信機２００として、ＣＥＣ機能部２０９がスタンバイマイコン２０４に内蔵されているものを示した。しかし、ＣＥＣ機能部２０９がＨＤＭＩ受信部２０２に内蔵されることもある。
【００９６】
図１０は、ＣＥＣ機能部２０９がＨＤＭＩ受信部２０２に内蔵されているテレビ受信機２００Ａの要部構成例を示している。この図１０において、図７と対応する部分には同一符号を付し、その詳細説明は省略する。
【００９７】
このテレビ受信機２００Ａは、ＨＤＭＩ端子２０１と、ＨＤＭＩ受信部２０２Ａと、メインマイコン２０３と、スタンバイマイコン２０４Ａと、キー入力部２０５と、リモコン受信部２０６を有している。また、テレビ受信機２００は、メイン電源回路２０７と、スタンバイ電源回路２０８と、ＣＥＣ機能部２０９と、ＥＤＩＤＲＯＭ２１０と、ＨＰＤ回路２１１と、プルアップ抵抗２１２を有している。
【００９８】
スタンバイマイコン２０４Ａは、ＣＥＣ機能部２０９を内蔵していないことを除いて、図７に示すテレビ受信機２００のスタンバイマイコン２０４と同様に構成されている。すなわち、スタンバイマイコン２０４Ａは、ユーザの操作によるリモコンコードをリモコン受信部２０６で受信して処理し、また、キー入力部２０５の操作による動作処理を行う。スタンバイマイコン２０４Ａは、テレビ受信機２００Ａがスタンバイ時、電源オンのリモコン信号を受信した場合や、キー操作により電源オンの操作が行われた場合、メイン電源回路２０７を制御して、メイン電源をオンにする。
【００９９】
また、ＨＤＭＩ受信部２０２Ａは、ＣＥＣ機能部２０９を内蔵していることを除いて、図７に示すテレビ受信機２００のＨＤＭＩ受信部２０２と同様に構成されている。すなわち、ＨＤＭＩ受信部２０２Ａは、ＨＤＭＩに準拠した通信により、ディスクプレーヤ１００から、ＨＤＭＩケーブル３００のＴＭＤＳチャネルを介して一方向に送信されてくる画像データＶＤ、音声データＡＤおよび制御データＣＤを受信する。
【０１００】
ＨＤＭＩ受信部２０２Ａには、ＣＥＣ機能部２０９が内蔵されている。このＣＥＣ機能部２０９は、ＣＥＣラインを介して、ディスクプレーヤ１００との間で、ＣＥＣ信号の送受信を行う。上述のスタンバイマイコン２０４Ａは、このＣＥＣ機能部２０９で電源制御に関するコマンドを受信した場合も、メイン電源回路２０７を制御して、メイン電源をオンにする。
【０１０１】
このＣＥＣ機能部２０９には、テレビ受信機２００Ａがスタンバイ状態にあり、かつディスクプレーヤ１００が電源オン状態にあるときは、ディスクプレーヤ１００から＋５Ｖの電源ラインで送られてくる＋５Ｖの電源が供給される。また、このＣＥＣ機能部２０９には、テレビ受信機２００Ａが電源オンの状態にあり、かつディスクプレーヤ１００がスタンバイ状態にあるときは、スタンバイ電源回路２０８で得られるスタンバイ電源が供給される。
【０１０２】
図１０に示すテレビ受信機２００Ａのその他の部分については、詳細説明は省略するが、図７に示すテレビ受信機２００と同様に構成され、同様に動作する。
【０１０３】
図１１は、ＨＤＭＩ受信部２０２Ａの内部構成例を示している。ＨＤＭＩ受信部２０２Ａは、ＨＤＭＩ受信機能部２６０の他に、ＣＥＣ機能部２０９および電源供給部２６１を備えている。電源供給部２６１について説明する。
【０１０４】
＋５Ｖの電源ラインは接続スイッチ２６２を介してＣＥＣ機能部２０９に接続されている。接続スイッチ２６２には、＋５Ｖの電源ラインの電圧が、オンオフの制御信号として供給される。この場合、接続スイッチ２６２は、＋５Ｖの電源ラインの電圧が＋５Ｖとなるときオン状態とされ、その他のときはオフ状態とされる。
【０１０５】
また、スタンバイ電源回路２０８(図１０参照)からのスタンバイ電源は接続スイッチ２６３を介してＣＥＣ機能部２０９に供給される。この接続スイッチ２６３のオンオフは、例えばスタンバイマイコン１０４により設定される制御用レジスタ２６４内の制御データに応じて制御される。
【０１０６】
この場合、テレビ受信機２００Ａがスタンバイ状態にあるとき、接続スイッチ２６３をオフ状態とし、スタンバイ電源がＣＥＣ機能部２０９に供給されないようにする。一方、テレビ受信機２００Ａが電源オン状態にあるとき、接続スイッチ２６３をオン状態とし、スタンバイ電源がＣＥＣ機能部２０９に供給されるようにする。
【０１０７】
電源供給部２６１の動作を説明する。ディスクプレーヤ１００（ソース機器）およびテレビ受信機２００Ａ（シンク機器）が双方ともスタンバイ状態にある場合は、以下のようになる。この場合、ディスクプレーヤ１００から＋５Ｖの電源ラインで＋５Ｖの電源が送られてこない。また、接続スイッチ２６３は、オフ状態とされる。したがって、ＣＥＣ機能部２０９には電源は供給されない。
【０１０８】
また、ディスクプレーヤ１００が電源オン状態で、テレビ受信機２００Ａがスタンバイ状態にある場合、以下のようになる。この場合、ディスクプレーヤ１００から＋５Ｖの電源ラインで＋５Ｖの電源が送られてくる。そのため、＋５Ｖの電源ラインの電圧が＋５Ｖとなり、接続スイッチ２６２はオン状態となり、当該＋５Ｖの電源がＣＥＣ機能部２０９に供給される。なお、この場合、接続スイッチ２６３はオフ状態とされるため、ＣＥＣ機能部２０９にスタンバイ電源は供給されない。
【０１０９】
また、ディスクプレーヤ１００がスタンバイ状態で、テレビ受信機２００Ａが電源オン状態にある場合、以下のようになる。この場合、ディスクプレーヤ１００から＋５Ｖの電源ラインで＋５Ｖの電源が送られてこない。しかし、この場合、接続スイッチ２６３がオン状態とされるため、ＣＥＣ機能部２０９にスタンバイ電源が供給される。
【０１１０】
また、ディスクプレーヤ１００およびテレビ受信機２００Ａの双方が電源オン状態にある場合、以下のようになる。この場合、ディスクプレーヤ１００から＋５Ｖの電源ラインで＋５Ｖの電源が送られてくる。そのため、＋５Ｖの電源ラインの電圧が＋５Ｖとなり、接続スイッチ２６２はオン状態となり、当該＋５Ｖの電源がＣＥＣ機能部２０９に供給される。また、この場合、接続スイッチ２６３がオン状態とされるため、ＣＥＣ機能部２０９にスタンバイ電源が供給される。
【０１１１】
このように、図１１に示す電源供給部２６１においては、ディスクプレーヤ１００およびテレビ受信機２００Ａの双方が電源オン状態にある場合、ＣＥＣ機能部２０９には、ディスクプレーヤ１００からの＋５Ｖの電源とスタンバイ電源の双方が供給される。しかし、この場合、ＣＥＣ機能部２０９に、ディスクプレーヤ１００からの＋５Ｖの電源およびスタンバイ電源の一方が供給されるように構成してもよい。
【０１１２】
例えば、スタンバイマイコン１０４Ａは、電源ラインの電圧を監視し、その電圧が＋５Ｖにあるときは、テレビ受信機２００が電源オン状態にあっても、接続スイッチ２５２がオフ状態となるように制御用レジスタ２６４内の制御データを設定するようにされる。この場合には、ディスクプレーヤ１００およびテレビ受信機２００Ａの双方が電源オン状態にある場合、ＣＥＣ機能部２０９にはディスクプレーヤ１００からの＋５Ｖの電源のみが供給される。
【０１１３】
図１０に示すテレビ受信機２００Ａにおいて、スタンバイ状態にあっても、ディスクプレーヤ１００が電源オン状態になる場合、このディスクプレーヤ１００から送られてくる＋５Ｖの電源がＣＥＣ機能部２０９に供給される。また、この図１０に示すテレビ受信機２００Ａにおいて、電源オン状態となるとき、スタンバイ電源がＣＥＣ機能部２０９に供給される。したがって、図１０に示すテレビ受信機２００Ａにおいても、上述の図７に示すテレビ受信機２００と同様の効果を得ることができる。
【０１１４】
また、上述したテレビ受信機２００，２００Ａにおいては、メインマイコン２０３の他に、電源状態を管理するスタンバイマイコン２０４，２０４Ａが備えてられている。しかし、必ずしも、メインマイコン２０３およびスタンバイマイコン２０４，２０４Ａを備えた構成である必要はない。メインマイコン２０３だけを備え、このメインマイコン２０３が電源状態を管理するスタンバイマイコン２０４，２０４Ａの機能を併せ持っていてもよい。
【０１１５】
また、上述したテレビ受信機２００，２００Ａにおいては、ＣＥＣ機能部２０９は、スタンバイマイコン２０４に内蔵されるか、あるいはＨＤＭＩ受信部２０２Ａに内蔵されている。しかし、ＣＥＣ機能部２０９は、その他の回路部に内蔵されるか、あるいは独立した回路部とされていてもよい。
【０１１６】
また、上述においては、ソース機器としてディスクプレーヤ１００を使用し、シンク機器としてテレビ受信機２００を使用したＡＶシステム１０の例を示した。しかし、その他のソース機器、シンク機器を使用して構成されるシステムにも、この発明を同様に適用できる。
【０１１７】
また、上述においては、電子機器間（ソース機器とシンク機器の間）を接続する伝送路として、ＨＤＭＩ規格のインタフェースを前提として説明したが、その他の同様な伝送規格にも適用可能である。
【産業上の利用可能性】
【０１１８】
この発明は、スタンバイ時の消費電力を低減すると共に、ユーザの初期設定項目の低減を図ることができるものであり、例えば、ディスクプレーヤとテレビ受信機とをＨＤＭＩインタフェースを用いて接続してなるＡＶシステム等に適用できる。
【図面の簡単な説明】
【０１１９】
【図１】この発明の実施の形態としてのＡＶシステムの構成例を示すブロック図である。
【図２】ＡＶシステムを構成するディスクプレーヤおよびテレビ受信機のＨＤＭＩ接続部分を示す図である。
【図３】ディスクプレーヤのＨＤＭＩ送信部と、テレビ受信機のＨＤＭＩ受信部の構成例を示す図である。
【図４】ＴＭＤＳ伝送データの構造例（横×縦が１９２０ピクセル×１０８０ラインの画像データが伝送される場合）を示す図である。
【図５】ソース機器およびシンク機器のＨＤＭＩケーブルが接続されるＨＤＭＩ端子のピン配列（タイプＡ）を示す図である。
【図６】ＡＶシステムを構成するディスクプレーヤの要部構成例を示すブロック図である。
【図７】ＡＶシステムを構成するテレビ受信機の要部構成例（ＣＥＣ機能部をスタンバイマイコンに内蔵）を示すブロック図である。
【図８】スタンバイマイコン内のＣＥＣ機能部に電源を供給する電源供給部の構成例を示す図である。
【図９】ＣＥＣ機能部へのスタンバイ電源供給の制御動作を示すフローチャートである。
【図１０】ＡＶシステムを構成するテレビ受信機の要部構成例（ＣＥＣ機能部をＨＤＭＩ受信部に内蔵）を示すブロック図である。
【図１１】ＨＤＭＩ受信部内のＣＥＣ機能部に電源を供給する電源供給部の構成例を示す図である。
【符号の説明】
【０１２０】
１０・・・ＡＶシステム、１００・・・ディスクプレーヤ、１０１・・・ＨＤＭＩ端子、１０２・・・ＨＤＭＩ送信部、１０３・・・メインマイコン、１０４・・・スタンバイマイコン、１０５・・・キー入力部、１０６・・・リモコン受信部、１０７・・・メイン電源回路、１０８・・・スタンバイ電源回路、１０９・・・ＣＥＣ機能部、１１０・・・ＨＰＤ回路、１１１・・・プルダウン抵抗、２００，２００Ａ・・・テレビ受信機、２０１・・・ＨＤＭＩ端子、２０２，２０２Ａ・・・ＨＤＭＩ受信部、２０３・・・メインマイコン、２０４，２０４Ａ・・・スタンバイマイコン、２０５・・・キー入力部、２０６・・・リモコン受信部、２０７・・・メイン電源回路、２０８・・・スタンバイ電源回路、２０９・・・ＣＥＣ機能部、２１０・・・ＥＤＩＤＲＯＭ、２１１・・・ＨＰＤ回路、２１２・・・プルアップ抵抗、２５０・・・電源供給部、２５１，２５２・・・接続スイッチ、２５３・・・他の機能部、２６０・・・ＨＤＭＩ受信機能部、２６１・・・電源供給部、２６２，２６３・・・接続スイッチ、２６４・・・制御用レジスタ
【図１】
2010140291.tif 000005
【図２】
2010140291.tif 000006
【図３】
2010140291.tif 000007
【図４】
2010140291.tif 000008
【図５】
2010140291.tif 000009
【図６】
2010140291.tif 000010
【図７】
2010140291.tif 000011
【図８】
2010140291.tif 000012
【図９】
2010140291.tif 000013
【図１０】
2010140291.tif 000014
【図１１】
2010140291.tif 000015